(57)【要約】  【課題】斜め方向にエッジを有する画像においても、斜め方向の変化点を誤判定することなく、滑らかな補間画像を得ること。  【解決手段】第１走査線の所定複数個数の連続する画素データの列である第１走査線補間候補画素データ列と第２走査線の所定複数個数の連続する画素データの列である第２走査線補間候補画素データ列とを組み合わせた比較対象対を順次設定する比較範囲設定手段１０３と、比較対象対を構成する第１走査線補間候補画素データ列と第２走査線補間候補画素データ列との相関を判定する相関判定手段１０４と、判定結果に基づいて、設定された比較対象対のうちからいずれかの比較対象対を選択し、選択された比較対象対を構成する第１走査線補間候補画素データ列と第２走査線補間候補画素データ列とから連続する複数個の補間画素データを生成する補間画素データ生成手段１０５とを備える。【選択図】図１
2009296181.tif 000002
【特許請求の範囲】
【請求項１】
インターレース走査信号方式の映像信号から走査線補間により補間画素データを生成してプログレッシブ走査信号方式の映像信号に変換するプログレッシブ走査信号変換回路において、
第１走査線の画素データを格納する第１ライン記憶手段と、
該第１走査線の１水平同期期間後の第２走査線の画素データを格納する第２ライン記憶手段と、
該第１ライン記憶手段に格納された複数の画素データのうち連続したｎ（ｎは２以上の整数）画素分の各画素データと、該第２ライン記憶手段に格納された複数の画素データのうち連続したｎ画素分の各画素データとを、補間画素位置を中心とした斜め方向を含む所定比較範囲内で組み合わせて比較対象として設定する比較範囲設定手段と、
該比較範囲設定手段で設定された第１ライン記憶手段のｎ画素分の各画素データと第２ライン記憶手段のｎ画素分の各画素データとの間の相関を判定する相関判定手段と、
該相関判定手段からの判定結果に基づいて、該第１ライン記憶手段と該第２ライン記憶手段のそれぞれに格納された各画素データから該補間画素データを生成する補間画素データ生成手段とを有するプログレッシブ走査信号変換回路。
【請求項２】
前記比較範囲設定手段は、
前記第１ライン記憶手段に格納された画素データの補間画素位置ａから連続したｎ画素分のデータに対して、
前記第２ライン記憶手段に格納された画素データの該補間画素位置ａから連続したｎ画素分のデータを、該補間画素位置ａからｍ画素分一方向の画素位置ｂ（＝ａ＋ｍ）までの間を順次１画素ずつシフトさせて組み合わせて前記所定比較範囲の比較対象として設定する請求項１に記載のプログレッシブ走査信号変換回路。
【請求項３】
前記比較範囲設定手段は、
前記第２ライン記憶手段に格納された画素データの補間画素位置ａから連続したｎ画素分のデータに対して、
前記第１ライン記憶手段に格納された画素データの該補間画素位置ａから連続したｎ画素分のデータを、該補間画素位置ａからｍ画素分一方向の画素位置ｂ（＝ａ＋ｍ）までの間を順次１画素ずつシフトさせて組み合わせて前記所定比較範囲の比較対象として設定する請求項１または２に記載のプログレッシブ走査信号変換回路。
【請求項４】
前記相関判定手段は、前記比較範囲設定手段で設定された、前記第１ライン記憶手段内の連続したｎ画素分の各画素データと、前記第２ライン記憶手段内の連続したｎ画素分の各画素データとの組み合わせにおいて、該各画素データ間の差分値の絶対値の最大値が閾値よりも小さい場合に「相関がある」と判定し、「相関がある」と判定された組み合わせのうち、該各画素データ間の差分値の絶対値の最大値が最も小さい組み合わせを「最も相関がある」組み合わせであると判定する請求項１に記載のプログレッシブ走査信号変換回路。
【請求項５】
前記相関判定手段は、前記比較範囲設定手段で設定された、前記第１ライン記憶手段内の連続したｎ画素分の各画素データと、前記第２ライン記憶手段内の連続したｎ画素分の各画素データとの組み合わせにおいて、該各画素データ間の差分値の絶対値の最大値が最も小さい組み合わせでかつ該差分値の絶対値の最大値が閾値よりも小さい場合に「最も相関がある」組み合わせであると判定する請求項１に記載のプログレッシブ走査信号変換回路。
【請求項６】
前記補間画素データ生成手段は、前記相関判定手段において「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置との中間ライン位置に、該第１ライン記憶手段内の連続したｎ画素分の各画素データと、該第２ライン記憶手段内の連続したｎ画素分の各画素データとの各平均値をそれぞれ各補間画素データとして生成する請求項１に記載のプログレッシブ走査信号変換回路。
【請求項７】
前記補間画素データ生成手段は、前記相関判定手段において、「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置が偶数画素数分だけずれている場合は、その中間ライン位置に、該第１ライン記憶手段内の連続したｎ画素分の各画素データと、該第２ライン記憶手段内の連続したｎ画素分の各画素データとの各画素間の各平均値をそれぞれ各補間画素データとして生成する請求項１に記載のプログレッシブ走査信号変換回路。
【請求項８】
前記補間画素データ生成手段は、前記相関判定手段において、「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置が奇数画素数分だけずれている場合は、その中間ライン位置に、該第１ライン記憶手段内の連続したｎ画素分の各画素データと、該第２ライン記憶手段内の連続したｎ画素分の各画素データとの各画素間の各平均値から、隣接画素データ間の各画素データをそれぞれ補間した平均値を各補間画素データとして生成する請求項１に記載のプログレッシブ走査信号変換回路。
【請求項９】
インターレース走査信号方式の映像信号から走査線補間により補間画素データを生成してプログレッシブ走査信号方式の映像信号に変換するプログレッシブ走査信号変換方法において、
第１走査線の画素データを第１ライン記憶手段に格納させる第１ライン記憶ステップと、
該第１走査線の１水平同期期間後の第２走査線の画素データを第２ライン記憶手段に格納させる第２ライン記憶ステップと、
比較範囲設定手段が、該第１ライン記憶ステップと該第２ライン記憶ステップでそれぞれ格納した各画素データから連続した各ｎ画素分の各画素データを、補間画素位置を中心とした斜め方向を含む所定比較範囲内で順次組み合わせて比較対象として設定する比較範囲設定ステップと、
相関判定手段が、該比較範囲設定ステップで設定した該第１ライン内のｎ画素分の各画素データと、該比較範囲設定ステップで設定した該第２ライン内のｎ画素分の各画素データとの間の相関を判定する相関判定ステップと、
補間画素データ生成手段が、該相関判定ステップから受け取った判定結果に基づいて、該第１ライン記憶ステップと該第２ライン記憶ステップでそれぞれに格納し各画素データから補間画素データを生成する補間画素データ生成ステップとを有するプログレッシブ走査信号変換方法。
【請求項１０】
プログレッシブ走査信号方式の映像信号を表示する表示手段と、
インターレース走査信号方式の映像信号をプログレッシブ走査信号方式の映像信号に変換して該表示手段に出力する映像信号処理手段とを有し、
該映像信号処理手段には、請求項１に記載のプログレッシブ走査信号変換回路が用いられているテレビジョン受像装置。
【発明の詳細な説明】
【技術分野】
【０００１】
本発明は、インターレース走査信号方式の映像信号をプログレッシブ走査信号方式の映像信号に変換するプログレッシブ走査信号変換回路およびプログレッシブ走査信号変換方法およびこれを用いたテレビジョン受像装置に関する。
【背景技術】
【０００２】
従来より、画像データの走査方式として、インターレース走査（飛び越し走査）方式とプログレッシブ走査（順次走査）方式が知られている。インターレース走査方式は、画像データ走査を走査線の奇数ラインにおいて行うフィールドと、偶数ラインにおいて行うフィールドとを交互に繰り返す走査方式である。一方、プログレッシブ走査方式は、走査線を飛び越さず、全走査線において画像データの順次走査する順次走査方式である。
【０００３】
したがって、インターレース走査方式の場合、１フィールドの表示が１ライン置きになるため、フリッカーノイズが出やすいという問題があるが、プログレッシブ走査方式に比べて１フィールド内で走査するライン数が１／２となるため、水平同期周波数を低く抑えることができるという利点があり、テレビジョン受像機ではインターレース走査方式が多く採用されてきた。
【０００４】
しかしながら、近年、高解像度のディスプレイでは、「ちらつき」のあるインターレース走査方式ではなく、プログレッシブ走査方式を採用しているものがある。このような高解像度のディスプレイ上にインターレース信号であるＮＴＳＣ方式に基づく画像情報を表示するためには、インターレース走査信号からプログレッシブ走査信号への変換が必要となってくる。
【０００５】
従来、このような走査線数を変換する手段に使用されるプログレッシブ走査信号変換回路には、インターレース走査信号から構成される２フィールド分の画素データをフィールドメモリに書き込み、２つの連続したフィールド間の相関を利用して奇数ラインと偶数ラインの補間を行うフィールドメモリを持つ方式や、インターレース走査信号から構成される同一フィールド内の２ライン分の画素データをラインメモリに書き込み、２つのラインの相関を利用して、奇数ラインから偶数ラインの補間画素データを、偶数ラインから奇数ラインの補間画素データを生成するラインメモリを持つ方式が知られている。
【０００６】
上記前者のフィールドメモリを持つ方式では、奇数フィールドおよび偶数フィールドの画素データをそれぞれ別々のフィールドメモリに書き込み、各々２倍のライン数に拡大し、各ラインの画素データを１／２ずつ加算することによって奇数ラインと偶数ラインとの補間データを生成する方式（例えば特許文献１の実施例および図３を参照）がある。
【０００７】
また、上記後者のラインメモリ持つ方式では、インターレース走査信号から構成される同一フィールド内の２ライン分の画素データをラインメモリに書き込み、２つのラインの相関を利用して、奇数ラインから偶数ラインの補間画素データを、偶数ラインから奇数ラインの補間画素データを生成する方式がある。
【０００８】
上記後者のラインメモリを持つ方式において、具体的には、例えば、ラインメモリに書き込まれた第１走査線の画素データと、その１水平同期期間後の第２走査線の画素データとに基づいて、２ライン間の補間画素データをその上下方向にある第１走査線と第２走査線の画素データの平均値とする上下平均値方式や、２ライン間の補間画素データを中心として点対称にある第１走査線と第２走査線の画素データの重み付け差分値が最小となる組み合わせを選択し、その第１走査線と第２走査線の画素データの平均値を補間画素データとする点対称平均値方式（例えば特許文献２を参照）がある。
【０００９】
図８は、上記後者のラインメモリを持つ方式のうち、上下方向にある第１走査線と第２走査線の画素データの平均値を補間画素データとする上下平均値方式における変換結果例を説明するための模式図である。
【００１０】
図８に示すように、補間画素データ６０３ａ〜６０３ｅは、第１走査線の画素データ６０１ａ〜６０１ｅと第２走査線の画素データ６０２ａ〜６０２ｅとの平均値により生成される。例えば補間画素データ６０３ａは（画素データ６０１ａ＋画素データ６０２ａ）／２で計算される。
【００１１】
図９は、上記後者のラインメモリを持つ方式のうち、２ライン間の補間画素データを中心として点対称にある第１走査線と第２走査線の画素データの重み付け差分値が最小となる組み合わせを選択し、その第１走査線と第２走査線の画素データの平均値を補間画素データとする点対称平均値方式における変換結果例を説明するための模式図である。
【００１２】
具体的には、補間画素データ７０３ｃを挟む上下の走査線上において、当該補間画素データ７０３ｃを中心に点対称の位置関係にある画素データの組み合わせを選択し、これらの差分値を算出する。なお、説明の都合上、差分値を算出する対象となる画素データの組み合わせとして、補間画素データに近接する５組の画素データ群とする。
【００１３】
次に、各組み合わせ毎に算出された差分値に、予め定められた閾値を加算する。この閾値は、補間画素データの画素列から遠い画素データの組み合わせになるほどその値が大きくなり、補間画素データの画素列に近い画素データの組み合わせになるほどその値が小さくなるように、予め重み付けを有した状態で定められている。即ち、図９では、画素データ７０１ａと７０２ｅの組み合わせ、および、画素データ７０１ｅと７０２ａの組み合わせにおける閾値が最も大きく、逆に、画素データ７０１ｃと７０２ｃの組み合わせにおける閾値が最も小さくなるように設定されている。
【００１４】
このようにして、閾値が加算された各差分値の中から最小値を示す画素データの組み合わせを選択し、選択された画素データの平均値によって補間画素データ７０３ｃの値を決定するというものである。
【特許文献１】特開２００４−１４７２８５号公報
【特許文献２】特開２００６−１４８８２７号公報
【発明の開示】
【発明が解決しようとする課題】
【００１５】
しかしながら、上記前者のフィールドメモリを持つ方式では、複数のフィールドメモリが必要であり、回路規模や消費電力が大きくなるという問題があった。
【００１６】
上記後者のラインメモリを持つ方式のうち、上下方向にある第１走査線と第２走査線の画素データの平均値を補間画素データとする上下平均値方式では、斜め方向にエッジを有する画像においては滑らかな補間画像が得られず、また、補間画素データに対して点対称で差分値を比較判定する点対称平均値方式では、重み付けの閾値によっては誤判定され、これによってノイズが発生するという問題があった。
【００１７】
本発明は、上記従来の問題を解決するもので、フィールドメモリによる回路規模の増大を抑え、かつ、斜め方向にエッジを有する画像においても、斜め方向の変化点を誤判定することなく、滑らかな補間画像を得ることができるプログレッシブ走査信号変換回路、プログレッシブ走査信号変換方法およびこれを用いたテレビジョン受像装置を提供することを目的とする。
【課題を解決するための手段】
【００１８】
本発明のプログレッシブ走査信号変換回路は、インターレース走査信号方式の映像信号から走査線補間により補間画素データを生成してプログレッシブ走査信号方式の映像信号に変換するプログレッシブ走査信号変換回路において、第１走査線の画素データを格納する第１ライン記憶手段と、該第１走査線の１水平同期期間後の第２走査線の画素データを格納する第２ライン記憶手段と、該第１ライン記憶手段に格納された複数の画素データのうち連続したｎ（ｎは２以上の整数）画素分の各画素データと、該第２ライン記憶手段に格納された複数の画素データのうち連続したｎ画素分の各画素データとを、補間画素位置を中心とした斜め方向を含む所定比較範囲内で組み合わせて比較対象として設定する比較範囲設定手段と、該比較範囲設定手段で設定された第１ライン記憶手段のｎ画素分の各画素データと第２ライン記憶手段のｎ画素分の各画素データとの間の相関を判定する相関判定手段と、該相関判定手段からの判定結果に基づいて、該第１ライン記憶手段と該第２ライン記憶手段のそれぞれに格納された各画素データから該補間画素データを生成する補間画素データ生成手段とを有するものであり、そのことにより上記目的が達成される。
【００１９】
また、好ましくは、本発明のプログレッシブ走査信号変換回路における比較範囲設定手段は、前記第１ライン記憶手段に格納された画素データの補間画素位置ａから連続したｎ画素分のデータに対して、前記第２ライン記憶手段に格納された画素データの該補間画素位置ａから連続したｎ画素分のデータを、該補間画素位置ａからｍ画素分一方向の画素位置ｂ（＝ａ＋ｍ）までの間を順次１画素ずつシフトさせて組み合わせて前記所定比較範囲の比較対象として設定する。
【００２０】
さらに、好ましくは、本発明のプログレッシブ走査信号変換回路における比較範囲設定手段は、前記第２ライン記憶手段に格納された画素データの補間画素位置ａから連続したｎ画素分のデータに対して、前記第１ライン記憶手段に格納された画素データの該補間画素位置ａから連続したｎ画素分のデータを、該補間画素位置ａからｍ画素分一方向の画素位置ｂ（＝ａ＋ｍ）までの間を順次１画素ずつシフトさせて組み合わせて前記所定比較範囲の比較対象として設定する。
【００２１】
さらに、好ましくは、本発明のプログレッシブ走査信号変換回路における相関判定手段は、前記比較範囲設定手段で設定された、前記第１ライン記憶手段内の連続したｎ画素分の各画素データと、前記第２ライン記憶手段内の連続したｎ画素分の各画素データとの組み合わせにおいて、該各画素データ間の差分値の絶対値の最大値が閾値よりも小さい場合に「相関がある」と判定し、「相関がある」と判定された組み合わせのうち、該各画素データ間の差分値の絶対値の最大値が最も小さい組み合わせを「最も相関がある」組み合わせであると判定する。
【００２２】
さらに、好ましくは、本発明のプログレッシブ走査信号変換回路における相関判定手段は、前記比較範囲設定手段で設定された、前記第１ライン記憶手段内の連続したｎ画素分の各画素データと、前記第２ライン記憶手段内の連続したｎ画素分の各画素データとの組み合わせにおいて、該各画素データ間の差分値の絶対値の最大値が最も小さい組み合わせでかつ該差分値の絶対値の最大値が閾値よりも小さい場合に「最も相関がある」組み合わせであると判定する。
【００２３】
さらに、好ましくは、本発明のプログレッシブ走査信号変換回路における補間画素データ生成手段は、前記相関判定手段において「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置との中間ライン位置に、該第１ライン記憶手段内の連続したｎ画素分の各画素データと、該第２ライン記憶手段内の連続したｎ画素分の各画素データとの各平均値をそれぞれ各補間画素データとして生成する。
【００２４】
さらに、好ましくは、本発明のプログレッシブ走査信号変換回路における補間画素データ生成手段は、前記相関判定手段において、「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置が偶数画素数分だけずれている場合は、その中間ライン位置に、該第１ライン記憶手段内の連続したｎ画素分の各画素データと、該第２ライン記憶手段内の連続したｎ画素分の各画素データとの各画素間の各平均値をそれぞれ各補間画素データとして生成する。
【００２５】
さらに、好ましくは、本発明のプログレッシブ走査信号変換回路における補間画素データ生成手段は、前記相関判定手段において、「最も相関がある」と判定されたｎ画素分の各画素データの組み合わせにおいて、前記第１ライン記憶手段内の連続したｎ画素分の各画素データの画素位置と、前記第２ライン記憶手段内の連続したｎ画素分の各画素データの画素位置が奇数画素数分だけずれている場合は、その中間ライン位置に、該第１ライン記憶手段内の連続したｎ画素分の各画素データと、該第２ライン記憶手段内の連続したｎ画素分の各画素データとの各画素間の各平均値から、隣接画素データ間の各画素データをそれぞれ補間した平均値を各補間画素データとして生成する。
【００２６】
本発明のプログレッシブ走査信号変換方法は、インターレース走査信号方式の映像信号から走査線補間により補間画素データを生成してプログレッシブ走査信号方式の映像信号に変換するプログレッシブ走査信号変換方法において、第１走査線の画素データを第１ライン記憶手段に格納させる第１ライン記憶ステップと、該第１走査線の１水平同期期間後の第２走査線の画素データを第２ライン記憶手段に格納させる第２ライン記憶ステップと、比較範囲設定手段が、該第１ライン記憶ステップと該第２ライン記憶ステップでそれぞれ格納した各画素データから連続した各ｎ画素分の各画素データを、補間画素位置を中心とした斜め方向を含む所定比較範囲内で順次組み合わせて比較対象として設定する比較範囲設定ステップと、相関判定手段が、該比較範囲設定ステップで設定した該第１ライン内のｎ画素分の各画素データと、該比較範囲設定ステップで設定した該第２ライン内のｎ画素分の各画素データとの間の相関を判定する相関判定ステップと、補間画素データ生成手段が、該相関判定ステップから受け取った判定結果に基づいて、該第１ライン記憶ステップと該第２ライン記憶ステップでそれぞれに格納し各画素データから補間画素データを生成する補間画素データ生成ステップとを有するものであり、そのことにより上記目的が達成される。
【００２７】
本発明のテレビジョン受像装置は、プログレッシブ走査信号方式の映像信号を表示する表示手段と、インターレース走査信号方式の映像信号をプログレッシブ走査信号方式の映像信号に変換して該表示手段に出力する映像信号処理手段とを有し、該映像信号処理手段には、本発明の上記プログレッシブ走査信号変換回路が用いられているものであり、そのことにより上記目的が達成される。
【００２８】
上記構成により、以下、本発明の作用を説明する。
【００２９】
本発明においては、第１ライン記憶手段に格納された複数の画素データのうち連続したｎ画素分の画素データと、第２ライン記憶手段に格納された複数の画素データのうち連続したｎ画素分の画素データとを、斜め方向を含む所定比較範囲内で組み合わせて比較対象として設定し、第１ライン記憶手段のｎ画素分の画素データと第２ライン記憶手段のｎ画素分の画素データとの間の相関を判定し、さらに、この判定結果に基づいて、第１ライン記憶手段および第２ライン記憶手段に格納された各画素データから補間画素データを生成している。
【００３０】
これにより、第１ライン記憶手段および第２ライン記憶手段を用いて、連続した所定数の画素データ単位で、斜め方向を含む所定比較範囲内で左右方向の画素データのずれを考慮して相関を判定しているので、従来のようなフィールドメモリによる回路規模の増大を抑え、かつ、斜め方向にエッジを有する画像においても、斜め方向の変化点を誤判定することなく、滑らかな補間画像を得ることが可能となる。
【発明の効果】
【００３１】
以上により、本発明によれば、第１走査線と第２走査線において、連続したｎ画素データ単位で、左右ｍ画素のずれを考慮して相関を判定しているため、フィールドメモリによる回路規模の増大を抑え、かつ、斜め方向にエッジを有する画像においても、斜め方向の変化点を誤判定することもなく、滑らかな補間画像を得ることができる。
【発明を実施するための最良の形態】
【００３２】
以下に、本発明のプログレッシブ走査信号変換回路およびプログレッシブ走査信号変換方法の実施形態１を説明した後に、これらのプログレッシブ走査信号変換回路およびプログレッシブ走査信号変換方法を用いた本発明のテレビジョン受像装置の実施形態２について図面を参照しながら詳細に説明する。
【００３３】
（実施形態１）
図１は、本発明に係るプログレッシブ走査信号変換回路の実施形態１における要部構成例を示すブロック図である。
【００３４】
図１に示すように、本実施形態１のプログレッシブ走査信号変換回路１００は、インターレース走査信号から構成される１フィールド内の連続した２つのラインの画素データを格納する第１ライン記憶手段１０１および第２ライン記憶手段１０２と、第１ライン記憶手段１０１および第２ライン記憶手段１０２のそれぞれに格納された各画素データから、連続したｎ（２以上の整数）画素分の画素データを、斜め方向を含む所定比較範囲で組み合わせて比較対象として設定する比較範囲設定手段１０３と、比較範囲設定手段１０３で設定された第１ライン記憶手段１０１内のｎ画素分の画素データと第２ライン記憶手段１０２内のｎ画素分の画素データの間の相関を判定する相関判定手段１０４と、この相関判定手段１０４からの相関判定結果に基づいて補間画素データを生成する補間画素データ生成手段１０５と、生成した補間画素データを格納する補間画素ラインメモリ１０６とを有している。
【００３５】
また、本実施形態１のプログレッシブ走査信号変換回路１００は、インターレース走査信号のインターレース第１走査線を格納した第１ライン記憶手段１０１および、インターレース第１走査線とインターレース第２走査線間の補間走査線との補間画素データを格納した補間画素ラインメモリ１０６を切り換えるスイッチ手段１０７と、第１ライン記憶手段１０１、第２ライン記憶手段１０２、補間画素ラインメモリ１０６およびスイッチ手段１０７を１水平走査期間毎に制御して、第２走査線の画素データを第２ライン記憶手段に格納させると共に、１水平走査期間前の第２走査線の画素データを第２ライン記憶手段から第１ライン記憶手段に第１走査線の画素データとして格納させ、かつ１ライン置きに交互に、第１ライン記憶手段からの各画素データと補間画素ラインメモリ１０６からの各画素データとを出力制御する出力制御手段（図示せず）とを有しており、インターレース走査信号方式の映像信号から走査線補間により補間画素データを生成してプログレッシブ走査信号方式の映像信号に変換してプログレッシブ走査信号を出力する。
【００３６】
第１ライン記憶手段１０１は、プログレッシブ走査信号変換回路１００の外部から与えられるインターレース走査信号を構成する第１走査線２０１の画素データを格納する。
【００３７】
第２ライン記憶手段１０２は、第１ライン記憶手段１０１の前段に設けられており、第１走査線２０１の１水平同期期間後の第２走査線２０２の画素データを格納する。
【００３８】
比較範囲設定手段１０３は、第１ライン記憶手段１０１に格納された画素データの補間画素位置ａ（ａは１以上の整数）から連続したｎ（ｎは２以上の整数）画素分の画素データに対して、第２ライン記憶手段１０２に格納された画素データの補間画素位置ａから連続したｎ画素分のデータを、その補間画素位置ａからｍ（ｍは１以上の整数）画素分右方向の画素位置ｂ（＝ａ＋ｍ）までの間を順次１画素ずつシフトさせて組み合わせて比較対象として設定し、また、第２ライン記憶手段１０２に格納された画素データの補間画素位置ａから連続したｎ画素分のデータに対して、第１ライン記憶手段１０１に格納された画素データの補間画素位置ａから連続したｎ画素分のデータを、その補間画素位置ａからｍ画素分右方向の画素位置ｂ（＝ａ＋ｍ）までの間を順次１画素ずつシフトさせて組み合わせて比較対象として設定する。
【００３９】
即ち、比較範囲設定手段１０３は、補間画素位置ａから右方向の補間画素位置（ａ＋ｍ＋ｎ）までの斜め方向を含む所定比較範囲において、第１ライン記憶手段１０１に格納された各画素データのうち連続したｎ画素分のデータと、第２ライン記憶手段１０２に格納された各画素データのうち連続したｎ画素分のデータとを組み合わせる。
【００４０】
相関判定手段１０４は、比較範囲設定手段１０３で設定されたｎ画素分の画素データの組み合わせであって、第１ライン記憶手段１０１内の連続したｎ画素分の画素データと、第２ライン記憶手段１０２内の連続したｎ画素分の画素データとの組み合わせにおいて、各画素データ間の差分値の絶対値の最大値が、予め決められた閾値よりも小さい場合に「相関がある」と判定し、「相関がある」と判定された各画素データの組み合わせのうち、各画素データ間の差分値の絶対値の最大値が最も小さい組み合わせを「最も相関がある」と判定する。即ち、相関判定手段１０４は、比較範囲設定手段１０３で設定された第１ライン記憶手段１０１に格納されたｎ画素分の画素データと、第２ライン記憶手段１０２に格納されたｎ画素分の画素データとの組み合わせにおいて、各画素データ間の差分の絶対値が予め決められた閾値より小さく、かつ、その各画素データ間の差分の絶対値の最大値が最も小さい組み合わせを、「最も相関がある」各画素データの組み合わせであると判定する。
【００４１】
補間画素データ生成手段１０５は、相関判定手段１０４において、「最も相関がある」と判定された各ｎ画素分の画素データの組み合わせにおいて、第１ライン記憶手段１０１内の連続したｎ画素分の画素データの先頭の画素位置と、第２ライン記憶手段１０２内の連続したｎ画素分のデータの先頭の画素位置とが偶数画素数分だけずれている場合は、その中間位置に、第１ライン記憶手段１０１内の連続したｎ画素分の画素データと、第２ライン記憶手段１０２内の連続したｎ画素分の画素データとの各画素データ間の平均値を補間画素として生成する。また、補間画素データ生成手段１０５は、第１ライン記憶手段１０１内の連続したｎ画素分の画素データの先頭の画素位置と、第２ライン記憶手段１０２内の連続したｎ画素分の画素データの先頭の画素位置とが奇数画素数分だけずれている場合は、その中間位置に、第１ライン記憶手段１０１内の連続したｎ画素分の画素データと、第２ライン記憶手段１０２内の連続したｎ画素分の画素データとの各画素データ間の平均値から、隣接画素間のデータを補間した値を補間画素データとして生成する。
【００４２】
図２は、インターレース走査信号方式の画素データおよび補間画素データを示す模式図である。
【００４３】
図２に示すように、このプログレッシブ走査信号変換回路１００に入力されるインターレース走査信号を構成する第１走査線２０１の画素データは、画素データ２０１ａ、２０１ｂ、２０１ｃ・・・により構成される。また同様に、第１走査線２０１の１水平同期期間後の第２走査線２０２の画素データは、画素データ２０２ａ、２０２ｂ、２０２ｃ・・・により構成される。また、これらの間の補間画素データ２０３ａ、２０３ｂ、２０３ｃ・・・は、第１走査線２０１の画素データと、その１水平同期期間後の第２走査線２０２の画素データとが補間されて生成されるデータである。
【００４４】
上記構成により、以下、その動作について説明する。
【００４５】
図３および図４は、図１の比較範囲設定手段の比較範囲設定処理手順を説明するための模式図である。なお、本実施形態１では、各ラインから連続した５画素分の画素データを、補間画素位置ａから４画素右方向の画素位置までの間を順次１画素ずつシフトさせて組み合わせるものとする。ここでは、上記ｎを５とし、上記ｍを４とした場合について説明するが、上記ｎは５に限らず、２以上の整数でもよく、上記ｍも４に限らず、１以上の整数でもよい。
【００４６】
比較範囲設定処理は、まず、図３（ａ）に示すように、第１ライン記憶手段１０１に格納された画素データの補間画素位置ａから連続した５画素分の画素データ３０１ａ〜３０１ｅを設定する。さらに、図３（ｂ）に示すように、これらの画素データ３０１ａ〜３０１ｅに対して、第２ライン記憶手段１０２に格納された画素データの補間画素位置ａから連続した５画素分の画素データ３０２ａ〜３０２ｅを比較対象として設定する。
【００４７】
次に、図３（ｃ）に示すように、第１ライン記憶手段１０１に格納された画素データの補間画素位置ａから連続した５画素分の画素データ３０１ａ〜３０１ｅに対して、第２ライン記憶手段１０２に格納された画素データの補間画素位置ａの１画素分だけ右方向の画素位置から連続した５画素分の画素データ３０２ｂ〜３０２ｆを比較対象として設定する。
【００４８】
その後、第２ライン記憶手段１０２の５画素分のデータを順次１画素ずつシフトさせて、第１ライン記憶手段１０１に格納された補間画素位置ａから連続した５画素分の画素データ３０１ａ〜３０１ｅと組み合わせ、さらに、図４（ａ）に示すように、補間画素位置ａから４画素右方向の画素位置から連続した５画素分の各画素データ３０２ｅ〜３０２ｉまでの範囲を比較対象として設定する。
【００４９】
また同様に、図４（ｂ）の状態から図４（ｃ）の状態まで、１画素ずつ順次シフトさせるラインを第２ライン記憶手段１０２から第１ライン記憶手段１０１に変更する。第１ライン記憶手段１０１に格納された画素データの補間画素位置ａの１画素分右方向の画素位置から４画素分右方向の画素位置まで順次１画素ずつシフトさせ、このシフトさせた各画素データと、第２ライン記憶手段１０２に格納された補間画素位置ａから連続した５画素分の画素データ３０２ａ〜３０２ｅとを組み合わせてこれを比較対象として設定する。
【００５０】
図５（ａ）および図５（ｂ）は、図１の相関判定手段１０４での相関判定処理手順を説明するための模式図である。なお、ここでは、相関を判定するための閾値をその一例として“１０”とするが、これに限らない。
【００５１】
最初に、比較範囲設定手段１０３により、第１ライン記憶手段１０１に格納された画素データの補間画素位置ａから連続した５画素分の各画素データ４０１ａ〜４０１ｅと、第２ライン記憶手段１０２に格納された画素データの補間画素位置ａから連続した５画素分の各画素データ４０２ａ〜４０２ｅとが比較対象として設定される。
【００５２】
この場合の相関判定手段１０４による相関判定処理では、比較範囲設定手段１０３により比較対象として設定された組み合わせにおいて、各画素間の差分の絶対値を算出する。図５（ａ）のように、各画素間の差分の絶対値は、左から順に“１”、“２”、“４９”、“１００”、“４９”となる。
【００５３】
次に、各画素間の差分の絶対値と予め決められた閾値とを比較して、全てが閾値より小さい場合、「相関がある」と判定する。図５（ａ）では、各画素間の差分の絶対値が相関を判定するための閾値“１０”より大きいものが“４９”、“１００”、“４９”のように３つある。このように、各画素間の差分の絶対値が閾値“１０”より大きいものが１つでもあると、「相関がない」と判定する。
【００５４】
このように、比較範囲設定手段１０３により設定された全ての組み合わせに対して判定を行い、「相関があり」、かつ、その差分の絶対値の最大値が最も小さい組み合わせを、「最も相関がある」各画素データの組み合わせであると判定する。
【００５５】
図５（ｂ）では、第１ライン記憶手段１０１の５画素分の各画素データ４０１ａ〜４０１ｅと、第２ライン記憶手段１０２の５画素分の各画素データ４０２ｃ〜４０２ｇとの組み合わせにおいて、各画素データ間の差分の絶対値が最大“２”となり、これはその差分の絶対値の最大値が最も小さい組み合わせであるため、「最も相関がある」各画素データの組み合わせであると判定される。
【００５６】
補間画素データ生成手段１０５は、相関判定手段１０４において「最も相関がある」と判定された５画素分の各画素データの組み合わせにおいて、次の（１）および（２）の手順で補間画素データを生成する。
【００５７】
（１）第１ライン記憶手段１０１に格納された５画素分の画素データの画素位置と、第２ライン記憶手段１０２に格納された５画素分の画素データの画素位置が偶数画素数分、ずれている場合は、その中間位置（ずれによって生じる上下ラインの中間ライン位置）に、第１ライン記憶手段１０１に格納された５画素分の各画素データと、第２ライン記憶手段１０２に格納された５画素分の各画素データとの各画素データの平均値を補間画素データとして生成する。
【００５８】
（２）第１ライン記憶手段１０１に格納された５画素分の画素データの画素位置と、第２ライン記憶手段１０２に格納された５画素分の画素データの画素位置とが奇数画素数分、ずれている場合は、その中間位置（ずれによって生じる上下ラインの中間ライン位置）に、第１ライン記憶手段１０１に格納された５画素分の画素データと、第２ライン記憶手段１０２に格納された５画素分の画素データとの各画素データの平均値から、それら５画素の隣接画素データ間の平均値を補間画素データとして生成する。
【００５９】
このように本実施形態１の補間画素データ生成手段１０５は、「最も相関がある」と判定された５画素分の各画素データの組み合わせを選択し、その選択した５画素分の各画素データの組み合わせからその５画素分の各画素データの中間ライン位置に連続する複数個分の補間画素データを生成する。
【００６０】
以下に、上記（１）および（２）の補間画素データの生成処理手順について図６を用いて説明する。
【００６１】
図６は、図１の補間画素データ生成手段１０５での補間画素データの生成手順を示す模式図である。
【００６２】
図６（ａ）のように、「最も相関のある」各画素データの組み合わせが偶数の例えば２画素分だけずれている場合は、上記（１）の処理手順で補間画素データを生成する。この場合、第１ライン記憶手段１０１に格納された５画素分の各画素データ５０１ａ〜５０１ｅと、第２ライン記憶手段１０２に格納された５画素分の各画素データ５０２ｃ〜５０２ｇとの斜め方向（左上から右下）の各画素の平均値を補間画素データとして、その中間位置である補間画素位置ａの１画素分右にずれた位置から連続した５画素分の各補間画素データ５０３ｂ〜５０３ｆを、補間画素ラインメモリ１０６に格納する。このとき、補間画素位置ａの１画素分だけが補間されていないが、従来と同様に上下画素データの平均値をとって補間画素データとして補間画素ラインメモリ１０６に格納する。具体的には、上ラインの画素データ５０１ａの「０」と、下ラインの画素データ５０２ａの「１」との平均値をとって補間画素データ５０３ａとして「１」を補間画素ラインメモリ１０６に格納する。
【００６３】
図６（ｂ）のように、最も相関のある組み合わせが奇数の例えば３画素分だけ先頭画素位置がずれている場合は、上記（２）の手順で補間画素データを生成する。この場合、まず、第１ライン記憶手段１０１に格納された５画素分の各画素データ５０１ａ〜５０１ｅと、第２ライン記憶手段１０２に格納された５画素分の各画素データ５０２ｄ〜５０２ｈとの斜め方向（左上から右下）の各画素の平均値データ５０４ａ〜５０４ｅを求め、この求めた各平均値データ５０４ａ〜５０４ｅの５画素の各隣接画素間を線形補間により算出した平均値を補間画素データとして、その中間位置である補間画素位置ａの２画素分だけ右側から連続した４画素分の補間画素データ５０３ｃ〜５０３ｆを、補間画素ラインメモリ１０６に格納する。
【００６４】
具体的には、補間画素データ５０３ｃは、（平均値データ５０４ａ＋平均値データ５０４ｂ）／２＝１と計算し、補間画素データ５０３ｄは、（平均値データ５０４ｂ＋平均値データ５０４ｃ）／２＝２５と計算する。また、補間画素データ５０３ｅは、（平均値データ５０４ｃ＋平均値データ５０４ｄ）／２＝５０と計算し、補間画素データ５０３ｆは、（平均値データ５０４ｄ＋平均値データ５０４ｅ）／２＝１００と計算する。
【００６５】
なお、本実施形態１では、補間画素データとして、５画素の隣接画素間を線形補間により算出しているが、５画素の隣接画素間をｓｉｎｃ関数等により補間して算出してもよい。なお、ｓｉｎｃ関数とは、ｓｉｎ（πｘ）／（πｘ）であり、ｘは、補間位置から各画素までの距離を表している。
【００６６】
このとき、補間画素位置ａから２画素分だけが補間されていないが、従来と同様に各上下画素データの平均値をそれぞれとって補間画素データとして補間画素ラインメモリ１０６に格納する。具体的には、上ラインの画素データ５０１ａの「０」と、下ラインの画素データ５０２ａの「１００」との平均値をとって補間画素データ５０３ａとして「５０」を補間画素ラインメモリ１０６に格納する。また、上ラインの画素データ５０１ｂの「２」と、下ラインの画素データ５０２ｂの「１」との平均値をとって補間画素データ５０３ａとして「２」を補間画素ラインメモリ１０６に格納する。
【００６７】
その後、「最も相関のある」各画素データの組み合わせが偶数の例えば２画素分だけずれている場合の図６（ａ）の場合は、今回も図６（ａ）の場合であると予想して、５画素分の各補間画素データ５０３ｂ〜５０３ｆの次の補間画素データ５０３ｇから補間されるように処理が為され、補間画素位置ａの位置を補間画素データ５０３ｆの位置に更新した後は、最初の手順に戻る。即ち、比較範囲を設定して、相関を判定して各補間画素データを求める。
【００６８】
そこで、相関を判定し直すため、前回が図６（ａ）の場合で、今回が図６（ｂ）の場合が発生し得る。この場合には、補間画素位置ａの位置が、補間画素位置ｆの補間画素データ５０３ｆの位置に更新されているので、補間画素位置ｆから１画素分だけが補間されないが、従来と同様に各上下画素データの平均値をとって補間画素データとして補間画素位置５０３ｇに補間画素ラインメモリ１０６に格納するようにする。
【００６９】
以上、比較範囲設定手段１０３から補間画素データ生成手段１０５までの手順を、補間画素位置ａをラインの左端から右端まで移動させながら繰り返して補間画素データを補間画素ラインメモリ１０６に格納していく。
【００７０】
最後に、スイッチ手段１０７により、インターレース走査信号を格納した第１ライン記憶手段１０１と、補間画素データを格納した補間画素ラインメモリ１０６から１ラインおきに交互に画素データを出力することにより、プログレッシブ走査信号を出力することができる。
【００７１】
以上により、本実施形態１では、第１走査線の所定複数個数の連続する画素データの列である第１走査線補間候補画素データ列と第２走査線の所定複数個数の連続する画素データの列である第２走査線補間候補画素データ列とを組み合わせた比較対象対を順次設定する比較範囲設定手段１０３と、比較対象対を構成する第１走査線補間候補画素データ列と第２走査線補間候補画素データ列との相関を判定する相関判定手段１０４と、判定結果に基づいて、設定された比較対象対のうちからいずれかの比較対象対を選択し、選択された比較対象対を構成する第１走査線補間候補画素データ列と第２走査線補間候補画素データ列とから連続する複数個の補間画素データを生成する補間画素データ生成手段１０５とを有している。これによって、第１走査線と第２走査線において、ラインメモリを用いて、連続したｎ画素データ単位で、左右ｍ画素分のずれを考慮して相関を判定しているため、フィールドメモリによる回路規模の増大を抑え、かつ、斜め方向にエッジを有する画像においても、斜め方向の変化点を誤判定することなく、滑らかな補間画像を得ることができる。
【００７２】
なお、本実施形態１では、５画素分の画素データのライン間での差分値の絶対値に対して、一定の閾値と比較しているが、同一ライン内での隣接画素間の差分値に応じて閾値を設定してもよい。
【００７３】
なお、本実施形態１では、比較範囲設定手段１０３により設定された組み合わせが相関があるかどうかを判定する際、相関判定手段１０４で、各画素間の差分の絶対値と予め決められた閾値とを比較して、差分の絶対値が閾値より小さい場合に相関ありと判定し、相関ありと判定された組み合わせのうちその差分の絶対値の最大値が最も小さい組み合わせを、「最も相関がある」組み合わせであると判定するとして説明したが、これに限らない。差分の絶対値が閾値より小さいかどうかの判定を省略し、上記差分の絶対値の最大値が最も小さい組み合わせを最も相関があると直接的に判定してもよい。
【００７４】
（実施形態２）
図７は、本発明の実施形態２として、上記実施形態１のプログレッシブ走査信号変換回路１００を用いたＴＶ（テレビジョン受像装置）１１１の構成例を示すブロック図である。
【００７５】
図７において、ＴＶ１１１は、アンテナ１１２、チューナ１１３、トランスポートデコーダ１１４、上記実施形態１のプログレッシブ走査信号変換回路１００を用いたＡＶデコーダ１１５および表示手段１１６を有している。
【００７６】
アンテナ１１２は、デジタルＢＳ（Ｂｒｏａｄｃａｓｔｉｎｇ  Ｓａｔｅｌｌｉｔｅ：通信衛星）放送の放送波を受信して電気信号に変換する受信手段である。
【００７７】
チューナ１１３は、電気信号に変換された放送信号を復調してＭＰＥＧ（Ｍｏｖｉｎｇ  Ｐｉｃｔｕｒｅ  Ｅｘｐｅｒｔｓ  Ｇｒｏｕｐ）２トランスポートストリームを出力する復調手段である。
【００７８】
トランスポートデコーダ１１４は、チューナ３から出力されたＭＰＥＧ２トランスポートストリームを分離する分離手段である。
【００７９】
ＡＶデコーダ１１５は、トランスポートデコーダ１１４から出力されたエレメンタリーストリームの圧縮データを伸長し、伸長された映像信号がインターレース走査信号方式の映像信号である場合には、これをプログレッシブ走査信号方式の映像信号に変換し、伸長された映像信号をアナログ信号に変換して出力する手段である。ＡＶデコーダ１１５には、本実施形態１で説明したプログレッシブ走査信号変換回路１００が用いられている。
【００８０】
表示手段１１６は、例えば液晶ディスプレイであり、プログレッシブ走査信号方式の映像信号を表示する手段である。
【００８１】
なお、本実施形態２のＡＶデコーダ１１５は、本発明の映像信号処理手段の一例である。
【００８２】
次に、このような本実施形態２の動作について説明する。
【００８３】
図示していない放送局からはＭＰＥＧ２トランスポートストリームとしてデジタルＢＳ放送が放送されている。放送局からＭＰＥＧ２トランスポートストリームとして放送されたデジタルＢＳ放送は図示していない放送衛星にアップリンクされ、さらに放送衛星から地上にダウンリンクされ、アンテナ１１２で電気信号に変換される。
【００８４】
次に、チューナ１１３では、電気信号に変換された放送信号を復調し、ＭＰＥＧ２トランスポートストリームをトランスポートデコーダ１１４に出力する。
【００８５】
その後、トランスポートデコーダ１１４では、トランスポートストリームを分離し、分離したトランスポートストリームをエレメンタリストリームに変換してＡＶデコーダ１１５に出力する。
【００８６】
続いて、ＡＶデコーダ１１５では、エレメンタリストリームの圧縮を伸長する。その後ＡＶデコーダ１１５を構成するプログレッシブ走査信号変換回路１００は、伸長された映像データがインターレース走査方式の映像信号である場合、プログレッシブ走査方式の映像信号に変換する。さらに、ＡＶデコーダ１１５は、プログレッシブ走査方式の映像信号をアナログ信号に変換して、表示手段１１６に出力する。
【００８７】
最終的に、表示手段１１６でアナログ信号を表示する。
【００８８】
このようにして、ディジタルＢＳ放送が表示手段１１６の表示画面上に表示される。
【００８９】
なお、本実施形態２のＴＶ１１１は、デジタルＢＳ放送を受信するとして説明したが、これに限るものではなく、地上波アナログ放送、地上波デジタル放送、アナログＢＳ放送、デジタルＣＳ（Ｃｏｍｍｕｎｉｃａｔｉｏｎｓ  Ｓａｔｅｌｌｉｔｅ：通信衛星）放送、アナログＣＳ放送、ＣＡＴＶ（Ｃａｂｌｅ  Ｔｅｌｅｖｉｓｉｏｎ：有線テレビ）放送などの全部または一部を受信するものであっても構わない。また、本実施形態２のＴＶ１１１が、地上波アナログ放送などのアナログ放送を受信するものである場合、チューナ１１３が、アナログ映像信号をデジタル映像信号に変換した後に、上記の処理を行うものとする。
【００９０】
以上により、本実施形態２のＴＶ１１１によれば、受信した放送信号に乗せられた映像信号がインターレース走査信号方式の場合であっても、フィールドメモリによる回路規模の増大を抑え、かつ、斜め方向にエッジを有する画像においても、斜め方向の変化点を誤判定することなく、滑らかな補間画像を表示手段１１６に表示することができる。
【００９１】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９２】
本発明は、インターレース走査信号方式の映像信号をプログレッシブ走査信号方式の映像信号に変換するプログレッシブ走査信号変換回路およびプログレッシブ走査信号変換方法およびこれを用いたテレビジョン受像装置の分野において、フィールドメモリによる回路規模の増大を抑え、かつ、斜め方向にエッジを有する画像においても、斜め方向の変化点を誤判定することなく、滑らかな補間画像を得ることができる。
【図面の簡単な説明】
【００９３】
【図１】本発明に係るプログレッシブ走査信号変換回路の実施形態１における要部構成例を示すブロック図である。
【図２】インターレース走査信号方式の画素データおよび補間画素データを示す模式図である。
【図３】（ａ）〜（ｃ）は、図１の比較範囲設定手段の比較範囲設定処理手順（その１）を説明するための模式図である。
【図４】（ａ）〜（ｃ）は、図１の比較範囲設定手段の比較範囲設定処理手順（その２）を説明するための模式図である。
【図５】（ａ）および（ｂ）は、図１の相関判定手段での相関判定処理手順を説明するための模式図である。
【図６】（ａ）および（ｂ）は、図１の補間画素データ生成手段での補間画素データ生成処理手順を説明するための模式図である。
【図７】本発明の実施形態２に係るテレビジョン受像装置の構成例を示すブロック図である。
【図８】従来のプログレッシブ走査信号変換回路において、上下方向にある第１走査線と第２走査線の画素データの平均値を補間画素データとする上下平均値方式における変換結果例を説明するための模式図である。
【図９】従来のプログレッシブ走査信号変換回路において、２ライン間の補間画素データを中心として点対称にある第１走査線と第２走査線の画素データの重み付け差分値が最小となる組み合わせを選択し、その第１走査線と第２走査線の画素データの平均値を補間画素データとする点対称平均値方式における変換結果例を説明するための模式図である。
【符号の説明】
【００９４】
１００  プログレッシブ走査信号変換回路
１０１、１０２  インターレース走査信号格納用ラインメモリ
１０３  比較範囲設定手段
１０４  相関判定手段
１０５  補間画素データ生成手段
１０６  補間画素ラインメモリ
１１１  ＴＶ（テレビジョン受像機）
１１２  アンテナ
１１３  チューナ
１１４  トランスポートデコーダ
１１５  ＡＶデコーダ
１１６  表示手段
【図１】
2009296181.tif 000003
【図２】
2009296181.tif 000004
【図３】
2009296181.tif 000005
【図４】
2009296181.tif 000006
【図５】
2009296181.tif 000007
【図６】
2009296181.tif 000008
【図７】
2009296181.tif 000009
【図８】
2009296181.tif 000010
【図９】
2009296181.tif 000011